(57)【要約】      （修正有）【課題】皮膚に押し当てられる光照射部が光源からの光により加熱されることを抑制できる光照射器を提供する。【解決手段】光照射器１０は、光照射口１６が設けられ背面壁と側面壁１５とに通気孔３１が設けられたヘッド部１３、およびハンドル部１２を備えたケース１１と、冷却風を生成する送風ファン２２と、冷却風が吹き付けられる放熱フィン２４に設けられる光源としてのＬＥＤ基板２７と、光源から照射された光をヘッド部の前方に向けて反射する反射板３５が組み込まれた反射板ガイド３３と、を有し、反射板ガイドには、反射板の外面を露出させて冷却風を反射板の外面に案内する冷風案内窓３８が設けられている。【選択図】図５
0003227030.tif 000002
【実用新案登録請求の範囲】
【請求項１】
正面壁に光照射口が設けられ背面壁と側面壁とに通気孔が設けられたヘッド部、および前記ヘッド部が先端に設けられるハンドル部を備えたケースと、
前記ヘッド部内に背面側に位置させて配置され、冷却風を生成する送風ファンと、
冷却風が吹き付けられる放熱フィンに設けられる光源と、
前記光源から照射された光を前記ヘッド部の前方に向けて反射する反射板が組み込まれ、前記光照射口に装着される反射板ガイドと、
前記反射板ガイドに設けられ、前記反射板の外面を露出させて冷却風を前記反射板の外面に案内する冷風案内窓と、を有する光照射器。
【請求項２】
請求項１記載の光照射器において、
前記反射板は四角形の角筒形状であり、前記反射板ガイドは四角形の枠部材により形成され、前記反射板ガイドの内面に前記反射板が固定される取付面が形成され、前記冷風案内窓を４つの辺のそれぞれに設けた、光照射器。
【請求項３】
請求項１または２記載の光照射器において、
前記正面壁は八角形であり、前記側面壁は前記正面壁から前記背面壁に向けて幅が漸次大きくなった八角錐形状であり、前記背面壁に設けられた通気孔から外気が流入し、前記背面壁に設けられた通気孔から外気が流出し、前記ヘッド部内に生成される冷却風が前記反射板を冷却した後に前記放熱フィンを冷却する、光照射器。
【請求項４】
請求項３記載の光照射器において、
前記反射板ガイドは長辺が前記ケースの長手方向に沿って延びた長方形であり、外気が流入する前記通気孔を前記側面壁の先端側と基端側とに設け、外部から流入した冷却風は前記反射板ガイドの短辺の枠片に吹き付けられた後に、前記反射板ガイドの長辺の枠片に沿って流れるようにした、光照射器。
【考案の詳細な説明】
【技術分野】
【０００１】
本考案は、発光ダイオード等を光源とする光を肌面に照射する光照射器に関する。
【背景技術】
【０００２】
体毛の生えた皮膚に光を照射するタイプの脱毛器においては、皮膚に光を照射して毛乳頭を加熱することにより、毛母細胞に栄養分が届きにくくして体毛の生成を抑制するようにしている。特許文献１には、皮膚に光を照射するタイプであって、光照射口から外部に光漏れが発生しないようにした光脱毛機器が記載されており、この光脱毛機器の光源としては、レーザダイオードやフラッシュランプが使用されている。
【０００３】
特許文献２の図５には、体毛の位置を検出する体毛検出装置を備えた体毛除去装置が記載されており、この体毛除去装置においては、体毛検出装置により検出された体毛の位置に、光源から６５０ｎｍ〜１２００ｎｍの波長のレーザビームを照射するようにしている。
【０００４】
特許文献３は、ハンドル部とヘッド部とを備え、脱毛や皮膚の活性を図るための照射装置を開示している。ヘッド部にはレーザ光を発する光源ランプを備えたランプユニットが設けられ、ランプユニットには特定の波長をカットする石英ガラスが設けられている。
【先行技術文献】
【特許文献】
【０００５】
【特許文献１】特開２００８−２８９８１９号公報
【特許文献２】特開２００７−５３３３９１号公報
【特許文献３】特開２００８−１１３９８４号公報
【考案の概要】
【考案が解決しようとする課題】
【０００６】
皮膚に光を照射して脱毛したり体毛除去したりする脱毛器や、皮膚の活性化を図る光照射器は、機器本体を構成するケースと、ケース内に収容されるレーザダイオードやランプ等の光源とを有している。ケースに設けられた光照射部が皮膚に押し付けられ、光照射部に設けられた照射窓つまり照射用開口部から光源の光が皮膚に照射される。
【０００７】
照射効率を高めるために、光の強度を高めると、レーザダイオード等の光源の温度が高くなる。光源が高温になると、ケースの光照射部の温度が高められて皮膚が過度に加熱されるだけでなく、光源の耐久性が低下してしまうことになる。光源に放熱フィンを装着し、ケース内にはファンを設けると、ケースの外部から流入してケース内を流れる冷却風がファンにより生成され、放熱フィンには冷却風が吹き付けられる。放熱フィンを冷却することにより、光源が過度に高温となることが抑制されている。
【０００８】
光源が外部に直接露出しないように、光源は保護ガラスにより覆われている。保護ガラスを透過した光を効率的に照射窓から皮膚に照射できるように、光照射部の内面に反射板を設けることが試みられているが、反射板は透過した光により発熱してしまい、反射板により光照射部の温度が高められてしまうという問題点がある。
【０００９】
本考案の目的は、皮膚に押し当てられる光照射部が光源からの光により加熱することを抑制するようにした光照射器を提供することにある。
【課題を解決するための手段】
【００１０】
本発明の光照射器は、正面壁に光照射口が設けられ背面壁と側面壁とに通気孔が設けられたヘッド部、および前記ヘッド部が先端に設けられるハンドル部を備えたケースと、前記ヘッド部内に背面側に位置させて配置され、冷却風を生成する送風ファンと、冷却風が吹き付けられる放熱フィンに設けられる光源と、前記光源から照射された光を前記ヘッド部の前方に向けて反射する反射板が組み込まれ、前記光照射口に装着される反射板ガイドと、前記反射板ガイドに設けられ、前記反射板の外面を露出させて冷却風を前記反射板の外面に案内する冷風案内窓と、を有する。
【考案の効果】
【００１１】
光照射器のヘッド部内に設けられた光源には、送風ファンにより生成された冷却風が吹き付けられ、光源は冷却される。光源から照射された光を反射してヘッド部の前方に光を向ける反射板は、反射板ガイドに装着され、反射板ガイドには送風ファンにより生成された冷却風を案内するための冷風案内窓が設けられているので、光源から離れた位置の反射板を確実に冷却することができる。これにより、皮膚に押し当てられる光照射部としてのヘッドカバーの正面部分が光源からの光により加熱されることが抑制される。
【図面の簡単な説明】
【００１２】
【図１】一実施の形態である光照射器の正面を示す斜視図である。
【図２】光照射器の側面を示す斜視図である。
【図３】光照射器の正面図である。
【図４】光照射器の背面図である。
【図５】光照射器の分解斜視図である。
【図６】図５に示された保護ガラスと反射板と反射板ホルダーを示す斜視図である。
【図７】（Ａ）は図６の正面図であり、（Ｂ）は図６における７Ｂ−７Ｂ線断面図であり、（Ｃ）は図６における７Ｃ−７Ｃ線断面図である。
【図８】反射板ホルダーと放熱フィンとの組み立て状態を示す断面図である。
【考案を実施するための形態】
【００１３】
以下、本考案の実施の形態を図面に基づいて詳細に説明する。光照射器１０は樹脂製のケース１１を有している。ケース１１は、図５に示されるように、正面側ケース片１１ａと、背面側ケース片１１ｂと、ヘッドカバー１１ｃとを備えている。正面側ケース片１１ａと背面側ケース片１１ｂとを突き合わせて連結し、正面側ケース片１１ａの先端部と背面側ケース片１１ｂの先端部にヘッドカバー１１ｃを取り付けることにより、ケース１１が組み立てられる。図１〜図４は、組み立てられた状態のケース１１を示す。
【００１４】
ケース１１は、使用者に把持されるハンドル部１２と、ハンドル部１２の先端部に設けられるヘッド部１３とを備えており、ヘッド部１３は背面側ケース片１１ｂを形成する背面壁の先端部とヘッドカバー１１ｃとにより形成される。ケース１１は、この明細書において、ヘッドカバー１１ｃが設けられた側を正面とし、反対側を背面とする。ヘッドカバー１１ｃは、八角形の正面壁１４と正面壁１４に連なる８つの側面壁１５とを有し、側面壁１５は正面から背面に向けて幅が漸次大きくなった八角錐形状である。
【００１５】
ヘッドカバー１１ｃの正面壁１４には、図５に示されるように、光照射口１６が設けられており、背面側ケース片１１ｂを形成する背面壁のうち、光照射口１６に対向する部分には通気孔１７が設けられている。通気孔１７は多数の貫通孔により形成されており、排気用の通気孔となっている。ヘッドカバー１１ｃの正面壁１４は光照射部として機能し、正面壁１４を皮膚に押し当てることにより、光照射口１６から照射される光を皮膚に照射し、脱毛や皮膚の活性を図ることができる。正面壁１４には、光照射部としての正面壁１４が皮膚に押し付けられるときに、皮膚に当接するローラ１９が設けられている。
【００１６】
ヘッド部１３内に形成された収容室１８には、光照射ユニット２１が装着される。光照射ユニット２１は送風ファン２２を有し、送風ファン２２は背面側ケース片１１ｂ側に位置させてヘッド部１３内に配置され、収容室１８内に冷却風を生成する。背面側ケース片１１ｂのヘッド部１３の内面には、送風ファン２２を収容する送風ガイド２３が設けられている。
【００１７】
光照射ユニット２１は、アルミニュウム合金等の熱伝導性の良い材料からなる放熱フィン２４を有している。放熱フィン２４は、底辺から頂辺に向けて幅が漸次小さくなったテーパ形状の４つの側壁部２５と長辺形の頂壁部２６とを有し、角錐台形状である。放熱フィン２４の頂壁部２６の外面には長方形のＬＥＤ基板２７が光源として設けられており、放熱フィン２４はＬＥＤ基板２７を支持する支持台となっている。ＬＥＤ基板２７には図示しない複数のＬＥＤ素子が設けられており、ＬＥＤ素子を保護するために、ＬＥＤ基板２７の表面には石英ガラス等からなる透明性の保護ガラス２８が装着される。
【００１８】
ＬＥＤ素子としては、例えば、６５０ｎｍ〜１２００ｎｍの波長のレーザビームを発光する素子を使用することができる。さらに、異なった波長のレーザビームを発光する複数種類のＬＥＤ素子をＬＥＤ基板２７に設けるようにしても良い。
【００１９】
ヘッドカバー１１ｃの８つの側面壁１５のうち、先端側の側壁部には通気孔３１が設けられ、基端側の側壁部には通気孔３２が設けられている。それぞれの通気孔３１、３２は多数の貫通孔により形成されており、吸気用の通気孔となっている。したがって、送風ファン２２を図示しないモータにより駆動すると、通気孔３１、３２から外気が収容室１８内に流入し、通気孔１７から外部に流出される。これにより、収容室１８内には冷却風が生成される。冷却風は、先端側の通気孔３１と基端側の通気孔３２とから流入し、放熱フィン２４に突き当たって放熱フィン２４を冷却し、ＬＥＤ基板２７は冷却される。
【００２０】
ヘッドカバー１１ｃの光照射口１６には反射板ガイド３３が装着される。反射板ガイド３３は、図６〜図８に示されるように、長方形状の枠部材により形成されており、長辺の枠片がケース１１の長手方向に沿って延びている。反射板ガイド３３は、光照射口１６に取り付けられる基部３３ａと、表面枠部３３ｂとを有している。表面枠部３３ｂは基部３２ａの内側に段差部３４の寸法だけずれており、基部３３ａよりも前方に突出している。
【００２１】
反射板ガイド３３の基部３３ａの内面には、図７（Ａ）に破線で示されるように、四角形の角筒形状の反射板３５が組み込まれている。反射板３５は金属製であり、反射板ガイド３３の内面に設けられた取付面３６に固定されている。反射板３５の前端面は表面枠部３３ｂに設けられた接触面３７に接触し、反射板３５の後端面は保護ガラス２８に接触している。反射板３５は光源であるＬＥＤから照射された光をヘッドカバー１１ｃの前方に向けて反射させる。これにより、ヘッドカバー１１ｃの前方の肌面に向けて照射される光量を高めることができる。
【００２２】
図６および図７に示されるように、反射板ガイド３３の基部３３ａには、冷風案内窓３８が設けられている。冷風案内窓３８は、基部３３ａの長辺に３つ設けられ、短辺に２つ設けられており、反射板３５の外面は部分的に冷風案内窓３８により外部に露出されている。したがって、流入用の通気孔３１、３２から流入した外気は、まず、反射板ガイド３３の短辺に突き当てられて反射板３５に吹き付けられる。次いで、外気は反射板ガイド３３の長辺側に回り込み、長辺に沿って流れながら、反射板３５に吹き付けられる。このようにして、反射板３５を冷却した後の外気は、放熱フィン２４に向かい、放熱フィン２４に設けられたスリット２４ａを通過する。通過した外気は、送風ファン２２により通気孔１７から外部に流出される。
【００２３】
金属製の反射板３５は光源であるＬＥＤから照射される光により加熱され、温度が高められるが、反射板３５を支持する反射板ガイド３３には、冷風案内窓３８が設けられており、冷風案内窓３８を介して反射板３５は部分的に外部に露出されているので、ＬＥＤ基板２７を冷却するための放熱フィン２４に冷風を吹き付けるための冷風は、反射板３５にまで案内され、反射板３５も冷却することができる。しかも、流入用の通気孔３１、３２から流入した冷却風は、まず、反射板３５に吹き付けられるので、放熱フィン２４を冷却する前に反射板３５が冷却され、反射板３５の冷却効率を高めることができる。
【００２４】
ハンドル部１２には図示しない電源ケーブルが取り付けられるようになっており、外部から供給される電力により、ＬＥＤ素子が点灯されるとともに、送風ファン２２が回転駆動される。ハンドル部１２には図示しない制御基板が装着され、ＬＥＤ素子や送風ファン２２に電力が供給される。なお、正面側ケース片１１ａには、スイッチ板３９が設けられており、そのスイッチ板３９を操作することにより、光照射器１０のオンオフが設定される。
【００２５】
ヘッドカバー１１ｃは８つの側面壁１５を備えた八角錐形状となっており、先端側の２つの側面壁１５に通気孔３１が設けられ、基端部側の２つの側壁面に通気孔３２が設けられているので、それぞれの通気孔３１、３２から流入した外気は、他の４つの側面壁の内面に衝突して、放熱フィン２４の側壁部２５に振り向けられ、放熱効果が高められる。
【００２６】
反射板ガイド３３を正方形とすることも可能であり、それに対応させて反射板３５を正四角形の角筒形状とすることも可能であるが、それぞれを長方形とすることにより、反射板ガイド３３の長辺に沿って流れる距離が長くなり、反射板３５の冷却効率が高められる。
【００２７】
反射板３５の冷却効果が高められると、連続して肌面に光を照射し続けることができ、照射操作を円滑に行うことができる。
【００２８】
本考案は前記実施の形態に限定されるものではなく、その要旨を逸脱しない範囲で種々変更可能である。電源としては、ＬＥＤ素子のみならず、ランプ等を用いるようにしても良い。
【符号の説明】
【００２９】
１０    光照射器
１１    ケース
１１ａ    正面側ケース片
１１ｂ    背面側ケース片
１１ｃ    ヘッドカバー
１２    ハンドル部
１３    ヘッド部
１４    正面壁
１５    側面壁
１６    光照射口
１７    通気孔
１８    収容室
２１    光照射ユニット
２２    送風ファン
２３    送風ガイド、
２４    放熱フィン
２４ａ    スリット
２５    側壁部
２６    頂壁部
２７    ＬＥＤ基板
２８    保護ガラス
３１    通気孔
３２    通気孔
３２ａ    基部
３３    反射板ガイド
３３ａ    基部
３３ｂ    表面枠部
３４    段差部
３５    反射板
３６    取付面
３７    接触面
３８    冷風案内窓
【図１】
0003227030.tif 000003
【図２】
0003227030.tif 000004
【図３】
0003227030.tif 000005
【図４】
0003227030.tif 000006
【図５】
0003227030.tif 000007
【図６】
0003227030.tif 000008
【図７】
0003227030.tif 000009
【図８】
0003227030.tif 000010